(57)【要約】【課題】画像形成装置から無線でデータを受信する場合、受信した情報の送信元をわかりやすくできることを目的とする。【解決手段】画像情報に基づいて画像形成を行う画像形成装置であって、無線で送信情報を送信する送信手段と、前記送信手段を有し、前記画像情報を処理する１以上の画像情報処理手段と、を有し、前記画像情報処理手段を識別する送信元情報を出力し、前記画像形成装置を識別する装置情報を出力し、少なくとも前記画像情報処理手段が処理した画像情報と、前記送信元情報と、前記装置情報と、を含むように前記送信情報を生成することによって上記課題を解決する。【選択図】図２
2015156591.tif 000002
【特許請求の範囲】
【請求項１】
画像情報に基づいて画像形成を行う画像形成装置であって、
無線で送信情報を送信する送信手段と、
前記送信手段を有し、前記画像情報を処理する１以上の画像情報処理手段と、
前記画像情報処理手段を識別する送信元情報を出力する送信元情報出力手段と、
前記画像形成装置を識別する装置情報を出力する装置情報出力手段と、
少なくとも前記画像情報処理手段が処理した画像情報と、前記送信元情報と、前記装置情報と、を含むように前記送信情報を生成する生成手段と、を有する画像形成装置。
【請求項２】
前記生成手段は、
３２ビット以上、かつ、８の倍数の情報量の前記送信情報を生成する請求項１に記載の画像形成装置。
【請求項３】
前記送信情報に基づいて照合の処理が行われる場合、前記画像形成を制限する制限処理を行う請求項１または２に記載の画像形成装置。
【請求項４】
前記送信手段が前記送信情報を前記画像形成装置の外部に送信する場合、前記画像形成装置の一部を開口する請求項１乃至３のいずれかに記載の画像形成装置。
【請求項５】
画像形成装置と、受信装置と、を有し、画像情報に基づいて画像形成を行う画像形成システムであって、
前記画像形成装置は、
無線で送信情報を送信する送信手段と、
前記送信手段を有し、前記画像情報を処理する１以上の画像情報処理手段と、
前記画像情報処理手段を識別する送信元情報を出力する送信元情報出力手段と、
前記画像形成装置を識別する装置情報を出力する装置情報出力手段と、
少なくとも前記画像情報処理手段が処理した画像情報と、前記送信元情報と、前記装置情報と、を含むように前記送信情報を生成する生成手段と、を有し、
前記受信装置は、
前記送信情報を無線で受信する受信手段と、
前記送信元情報と、前記装置情報と、に基づいて受信した前記送信情報を選択する画像形成システム。
【請求項６】
画像情報に基づいて画像形成を行う画像形成装置に行わせる画像形成方法であって、
前記画像形成装置は、
無線で送信情報を送信する送信手段と、
前記送信手段を有し、前記画像情報を処理する１以上の画像情報処理手段と、を有し、
前記画像形成装置に、
前記画像情報処理手段を識別する送信元情報を出力させる送信元情報出力手順と、
前記画像形成装置を識別する装置情報を出力させる装置情報出力手順と、
少なくとも前記画像情報処理手段が処理した画像情報と、前記送信元情報と、前記装置情報と、を含むように前記送信情報を生成させる生成手順と、を行わせる画像形成方法。
【請求項７】
送信装置と、受信装置と、を有し、画像情報に基づいて画像形成を行う画像形成装置であって、
前記送信装置は、
無線で送信情報を送信する送信手段と、
前記送信手段を有し、前記画像情報を処理する１以上の画像情報処理手段と、
前記画像情報処理手段を識別する送信元情報を出力する送信元情報出力手段と、
前記画像形成装置を識別する装置情報を出力する装置情報出力手段と、
少なくとも前記画像情報処理手段が処理した画像情報と、前記送信元情報と、前記装置情報と、を含むように前記送信情報を生成する生成手段と、を有し、
前記受信装置は、
前記送信情報を無線で受信する受信手段と、
前記送信元情報と、前記装置情報と、に基づいて受信した前記送信情報を選択する画像形成装置。
【発明の詳細な説明】
【技術分野】
【０００１】
本発明は、画像形成装置、画像形成システム、および画像形成方法に関する。
【背景技術】
【０００２】
従来、画像形成装置を複数の機能ユニットで構成し、各機能ユニットの間で画像データの通信を行う場合、通信に超広帯域無線を用いる方法が知られている（たとえば、特許文献１参照）。
【発明の概要】
【発明が解決しようとする課題】
【０００３】
しかしながら、特許文献１の方法では、受信装置が画像形成装置から無線で情報を受信する場合、送信する装置の装置情報を利用しないため、受信した情報の送信元がわからなくなる虞があった。
【０００４】
本発明の１つの側面は、受信装置が画像形成装置から無線で情報を受信する場合、受信した情報の送信元をわかりやすくすることを目的とする。
【課題を解決するための手段】
【０００５】
一態様における、画像情報に基づいて画像形成を行う画像形成装置であって、無線で送信情報を送信する送信手段と、前記送信手段を有し、前記画像情報を処理する１以上の画像情報処理手段と、前記画像情報処理手段を識別する送信元情報を出力する送信元情報出力手段と、前記画像形成装置を識別する装置情報を出力する装置情報出力手段と、少なくとも前記画像情報処理手段が処理した画像情報と、前記送信元情報と、前記装置情報と、を含むように前記送信情報を生成する生成手段と、を有することを特徴とする。
【発明の効果】
【０００６】
画像形成装置から無線で情報を受信する場合、受信した情報の送信元をわかりやすくできる。
【図面の簡単な説明】
【０００７】
【図１】本発明の一実施形態に係る画像形成装置の全体構成の一例を説明する概要図である。
【図２】本発明の一実施形態に係る画像形成装置の画像データ処理を行う箇所の一例を説明するブロック図である。
【図３】本発明の一実施形態に係る画像形成装置の画像入力ユニットの機能構成の一例を説明する機能ブロック図である。
【図４】本発明の一実施形態に係る画像形成装置の画像入力ユニットの合成部が生成する送信データの一例を説明する図である。
【図５】本発明の一実施形態に係る画像形成装置の画像処理ユニットの機能構成の一例を説明する機能ブロック図である。
【図６】本発明の一実施形態に係る画像形成装置の画像処理ユニットの合成部が生成する送信データの一例を説明する図である。
【図７】本発明の一実施形態に係る画像形成装置の画像書込ユニットの機能構成の一例を説明する機能ブロック図である。
【図８】本発明の一実施形態に係る画像形成システムの全体構成の一例を説明する概略図である。
【図９】本発明の一実施形態に係る画像形成装置の画像入力ユニットのハードウェア構成の一例を説明するブロック図である。
【図１０】本発明の一実施形態に係る画像形成装置の画像処理ユニットのハードウェア構成の一例を説明するブロック図である。
【図１１】本発明の一実施形態に係る画像形成装置の画像書込ユニットのハードウェア構成の一例を説明するブロック図である。
【図１２】本発明の一実施形態に係る携帯情報端末のハードウェア構成の一例を説明するブロック図である。
【図１３】本発明の一実施形態に係る画像形成システムによる処理の一例を説明するための図である。
【図１４】本発明の一実施形態に係る画像形成システムによる全体処理の一例を説明するためのシーケンス図である。
【図１５】本発明の一実施形態に係る画像形成システムの各装置による処理の一例を説明するためのフローチャートである。
【図１６】本発明の一実施形態に係る第２実施形態の画像形成システムによる全体処理の一例を説明するためのシーケンス図である。
【図１７】本発明の一実施形態に係る第２実施形態の画像形成システムの各装置による処理の一例を説明するためのフローチャートである。
【図１８】本発明の一実施形態に係る第３実施形態の画像形成装置の一例を説明するための図である。
【発明を実施するための形態】
【０００８】
以下、本発明の実施の形態について説明する。
【０００９】
＜装置の概要＞
図１は、本発明の一実施形態に係る画像形成装置の全体構成の一例を説明する概要図である。
【００１０】
画像形成装置１は、例えば図１で示すようにカラー画像形成でタンデム方式と称される二次転写機構を有する電子写真方式の画像形成装置である。以下、図１の場合を例に説明する。
【００１１】
画像形成装置１は、例えば、イエロー（Ｙ）、シアン（Ｃ）、マゼンタ（Ｍ）、およびブラック（Ｋ）などの各色に対応した別々の感光体ドラム（以下、単に「感光体」と略称する。）を有する（以下、適宜括弧内に示した記号で色を表す場合がある）。
【００１２】
画像形成装置１は、例えば、ファクシミリ装置、印刷装置（プリンタ）、複写機、および複合機に含まれる画像形成装置である。
【００１３】
画像形成装置１は、光学装置１０１と、像形成装置１０２と、転写装置１０３と、を有する。光学装置１０１と、像形成装置１０２と、転写装置１０３が、画像形成を行う。
【００１４】
光学装置１０１は、複数のレーザなどの光源（図示せず）から放出された光ビームＢＭを、ポリゴンミラー１１０で偏向させ、走査レンズ１１１ａ、および走査レンズ１１１ｂに入射させる。走査レンズ１１１ａ、および走査レンズ１１１ｂは、例えばｆθレンズなどである。
【００１５】
光ビームＢＭは、イエロー（Ｙ）、ブラック（Ｋ）、マゼンタ（Ｍ）、およびシアン（Ｃ）の各色に対応した数である。光ビームＢＭは、走査レンズ１１１ａ、および走査レンズ１１１ｂを通過した後、反射ミラー１１２ｙ〜１１２ｃで反射される。
【００１６】
例えば、イエローの光ビームＹは、走査レンズ１１１ａを透過して反射ミラー１１２ｙで反射される。ブラック、マゼンタ、およびシアンの他の色も同様であるため、ここでは説明を省略する。
【００１７】
ＷＴＬレンズ１１３ｙ〜１１３ｃは、反射ミラー１１２ｙ〜１１２ｃから反射されて入射された各色の光ビームＹ〜Ｃを整形した後、反射ミラー１１４ｙ〜１１４ｃへと各色の光ビームＹ〜Ｃを偏向させる。
【００１８】
反射ミラー１１４ｙ〜１１４ｃで偏向された各光ビームＹ〜Ｃは、反射ミラー１１５ｙ〜１１５ｃで反射する。反射の後、光ビームＹ〜Ｃは、露光のために感光体１２０ｙ〜１２０ｃに像状照射される。
【００１９】
感光体１２０ｙ〜１２０ｃへの各色の光ビームＹ〜Ｃの照射には、上述したＷＴＬレンズ１１３ｙ〜１１３ｃ、反射ミラー１１４ｙ〜１１４ｃ、および反射ミラー１１５ｙ〜１１５ｃなど複数の光学要素が使用される。
【００２０】
以下、感光体１２０ｙ〜１２０ｃに対する主走査方向を、光ビームの走査方向とする。感光体１２０ｙ〜１２０ｃに対する副走査方向を、主走査方向に対して直交する方向とし、感光体１２０ｙ〜１２０ｃの回転する方向とする。
【００２１】
感光体１２０ｙ〜１２０ｃは、アルミニウムなどの導電性ドラム上に、少なくとも電荷発生層と、電荷輸送層と、光導電層と、を有する。光導電層は、それぞれ感光体１２０ｙ〜１２０ｃに対応して設置され、コロトロン、スコロトロン、または帯電ローラなどを有する。帯電器１２２ｙ〜１２２ｃにより表面電荷が付与される。
【００２２】
各帯電器１２２ｙ〜１２２ｃによって感光体１２０ｙ〜１２０ｃ上にそれぞれ付与された静電荷は、光ビームＹ〜Ｃによりそれぞれ像状露光される。各帯電器１２２ｙ〜１２２ｃの被走査面上に、静電潜像が形成される。
【００２３】
現像器１２１ｙ〜１２１ｃは、現像スリーブ、現像剤供給ローラ、および規制ブレードなどを有する。感光体１２０ｙ〜１２０ｃの被走査面上にそれぞれ形成された静電潜像は、現像器１２１ｙ〜１２１ｃによりそれぞれ現像される。これによって、感光体１２０ｙ〜１２０ｃの被走査面上に現像剤像が形成される。
【００２４】
感光体１２０ｙ〜１２０ｃの被走査面上に担持された各現像剤は、搬送ローラ１３１ａ〜１３１ｃにより矢示Ｄの方向に移動する中間転写ベルト１３０上に転写される。一次転写ローラ１３２ｙ〜１３２ｃは、それぞれ感光体１２０ｙ〜１２０ｃに対する一次転写ローラである。
【００２５】
中間転写ベルト１３０は、感光体１２０ｙ〜１２０ｃの被走査面上からそれぞれ転写されたＹ、Ｋ、Ｍ、Ｃの現像剤を担持した状態で二次転写装置に搬送される。すなわち、中間転写ベルト１３０は、中間転写体に相当する。
【００２６】
二次転写装置は、二次転写ベルト１３３と、搬送ローラ１３４ａと、搬送ローラ１３４ｂと、を有する。二次転写ベルト１３３は、搬送ローラ１３４ａと、搬送ローラ１３４ｂと、により矢印Ｅの方向に搬送される。
【００２７】
二次転写装置に、給紙カセットなどの記録媒体収容装置Ｔから記録媒体Ｐが搬送ローラ１３５により供給される。受像材である記録媒体Ｐとしては、紙、プラスチックシート、または金属シートなどが用いられる。二次転写装置は、二次転写バイアス電圧を印加して、中間転写ベルト１３０上に担持された多色現像剤像を、二次転写ベルト１３３上に吸着保持された記録媒体Ｐに転写する。
【００２８】
次に、記録媒体Ｐは、二次転写ベルト１３３による搬送によって定着装置１３６に搬送される。
【００２９】
定着装置１３６は、定着ローラなどの定着部材１３７を有する。定着ローラは、シリコーンゴム、またはフッ素ゴムなどの部材からなる。定着装置１３６は、記録媒体Ｐと多色現像剤像を加圧、および加熱する。そして、排紙ローラ１３８で記録媒体Ｐを印刷物Ｐ２として画像形成装置１の外部へ排出する。
【００３０】
多色現像剤像を転写した後、中間転写ベルト１３０は、クリーニング装置１３９によって残った現像剤を除去される。クリーニング装置１３９は、クリーニングブレード（図示せず）を有する。除去の後、次の画像形成プロセスとなる。
【００３１】
図２は、本発明の一実施形態に係る画像形成装置の画像データ処理を行う箇所の一例を説明するブロック図である。
【００３２】
画像形成装置１は、画像入力ユニット１Ｕ１と、画像処理ユニット１Ｕ２と、光学装置１０１内部に設けられた画像書込ユニット１Ｕ３と、を有する。画像情報処理手段は、例えば画像入力ユニット１Ｕ１、画像処理ユニット１Ｕ２、および画像書込ユニット１Ｕ３である。以下、画像情報処理手段が画像入力ユニット１Ｕ１、画像処理ユニット１Ｕ２、および画像書込ユニット１Ｕ３である場合を例に説明する。
【００３３】
画像入力ユニット１Ｕ１は、入力部１Ｕ１Ｆ１と、通信部１Ｕ１Ｆ２と、を有する。画像入力ユニット１Ｕ１は、画像形成を行うデータが入力された場合、画像形成装置１にデータを入力するための処理を行う。画像情報は、例えばデータである。以下、データを例に説明する。画像入力ユニット１Ｕ１の詳細は、後述する。
【００３４】
入力部１Ｕ１Ｆ１は、例えばＰＣ（Ｐｅｒｓｏｎａｌ  Ｃｏｍｐｕｔｅｒ）、またはスマートフォンなど携帯デバイスから画像などのデータが入力される。入力部１Ｕ１Ｆ１は、入力されたデータをＵＳＢ（Ｕｎｉｖｅｒｓａｌ  Ｓｅｒｉａｌ  Ｂｕｓ）など、いわゆる汎用データ形式からパラレルデータ形式に変換する処理などを行う。入力部１Ｕ１Ｆ１が処理したデータ（以下、入力データという。）は、通信部１Ｕ１Ｆ２によって電波など無線で出力される。通信部１Ｕ１Ｆ２は、例えば画像処理ユニット１Ｕ２にデータを無線で送信する。
【００３５】
画像処理ユニット１Ｕ２は、画像処理部１Ｕ２Ｆ１と、通信部１Ｕ２Ｆ２と、通信部１Ｕ２Ｆ３と、を有する。画像処理ユニット１Ｕ２は、画像形成装置１に入力されたデータに対して画像処理を行う。画像処理ユニット１Ｕ２の詳細は、後述する。
【００３６】
通信部１Ｕ２Ｆ２は、画像入力ユニット１Ｕ１の通信部１Ｕ１Ｆ２が送信したデータを受信する。通信部１Ｕ２Ｆ２が受信したデータは、画像処理部１Ｕ２Ｆ１によって画像処理される。画像処理部１Ｕ２Ｆ１は、例えばディザ（Ｄｉｔｈｅｒ）処理など階調処理を行う。画像処理部１Ｕ２Ｆ１が画像処理したデータ（以下、画像処理データという。）は、通信部１Ｕ２Ｆ３によって電波など無線で送信される。通信部１Ｕ２Ｆ３は、例えば画像書込ユニット１Ｕ３にデータを無線で送信する。
【００３７】
画像書込ユニット１Ｕ３は、画像書込部１Ｕ３Ｆ１と、通信部１Ｕ３Ｆ２と、を有する。画像書込ユニット１Ｕ３は、画像処理が行われたデータを図１の光学装置１０１に書き込む処理を行う。画像形成装置１は、書き込まれたデータに基づいて図１で説明した各装置によって記録媒体Ｐに画像形成する。画像書込ユニット１Ｕ３の詳細は、後述する。
【００３８】
通信部１Ｕ３Ｆ２は、画像処理ユニット１Ｕ２の通信部１Ｕ２Ｆ３が送信したデータを受信する。画像書込部１Ｕ３Ｆ１は、通信部１Ｕ２Ｆ３が受信したデータに基づいた図１の光学装置１０１に書き込むデータ（以下、書込データという。）を書込処理する。
【００３９】
各ユニットは、各装置を識別できるＩＤ（Ｉｄｅｎｔｉｆｉｃａｔｉｏｎ）情報（以下、デバイスＩＤという。）を有する。送信元情報は、例えばデバイスＩＤである。以下、デバイスＩＤを例に説明する。送受信の際、各ユニットは、デバイスＩＤを利用して受信するデータを選択する。デバイスＩＤに係る詳細は、後述する。
【００４０】
各ユニットの間での送受信は、例えば６０ギガヘルツの周波数の電波を用いる。なお、電波は、６０ギガヘルツの周波数の電波に限られない。電波は、データを高速に送受信でき、かつ、免許が不要で利用できる５７〜６６ギガヘルツの周波数の電波が望ましい。
【００４１】
＜画像入力ユニット＞
図３は、本発明の一実施形態に係る画像形成装置の画像入力ユニットの機能構成の一例を説明する機能ブロック図である。
【００４２】
図２の入力部１Ｕ１Ｆ１は、Ｉ／Ｆ（Ｉｎｔｅｒｆａｃｅ）部１Ｕ１Ｆ１１と、デバイスＩＤ付加部１Ｕ１Ｆ１２と、シリアルナンバ付加部１Ｕ１Ｆ１３と、合成部１Ｕ１Ｆ１４と、を有する。
【００４３】
Ｉ／Ｆ部１Ｕ１Ｆ１１は、入力部１Ｕ１Ｆ１に入力されたデータを変換し、入力データを生成する処理を行う。Ｉ／Ｆ部１Ｕ１Ｆ１１は、例えばＵＳＢなど汎用データ形式からパラレルデータに変換する。入力データは、例えば８ビットの情報量のパラレルデータである。以下、入力データは、８ビットの情報量のデータである場合を例に説明する。
【００４４】
送信元情報出力手段は、例えばデバイスＩＤ付加部１Ｕ１Ｆ１２である。以下、デバイスＩＤ付加部１Ｕ１Ｆ１２を例に説明する。デバイスＩＤ付加部１Ｕ１Ｆ１２は、画像入力ユニット１Ｕ１に予め設定されているデバイスＩＤを後述する合成部１Ｕ１Ｆ１４に出力する。デバイスＩＤのデータは、例えば２ビットの情報量のデータである「００（２進数表記）」などである。以下、デバイスＩＤのデータは、２ビットの情報量のデータである場合を例に説明する。
【００４５】
図２の場合、デバイスＩＤ付加部１Ｕ１Ｆ１２が付加するデバイスＩＤは、「００（２進数表記）」である。
【００４６】
装置情報出力手段は、例えばシリアルナンバ付加部１Ｕ１Ｆ１３である。以下、シリアルナンバ付加部１Ｕ１Ｆ１３を例に説明する。シリアルナンバ付加部１Ｕ１Ｆ１３は、画像形成装置１に予め設定されているシリアルナンバデータを後述する合成部１Ｕ１Ｆ１４に出力する。シリアルナンバは、画像形成装置１を識別できる装置ごとに固有の番号である。シリアルナンバデータは、例えば２２ビットの情報量のデータである「２ｆ１２４ｄ（１６進数表記）」などである。以下、シリアルナンバデータは、２２ビットの情報量のデータである場合を例に説明する。
【００４７】
生成手段は、例えば合成部１Ｕ１Ｆ１４である。以下、合成部１Ｕ１Ｆ１４を例に説明する。合成部１Ｕ１Ｆ１４は、入力データと、デバイスＩＤデータと、シリアルナンバデータと、を合成し、送信データを生成する。合成部１Ｕ１Ｆ１４が生成する送信データは、例えば画像入力ユニットの送信データ２である。以下、画像入力ユニットの送信データ２を例に説明する。画像入力ユニットの送信データ２は、通信部１Ｕ１Ｆ２に出力される。
【００４８】
図４は、本発明の一実施形態に係る画像形成装置の画像入力ユニットの合成部が生成する送信データの一例を説明する図である。
【００４９】
送信情報は、例えば送信データである。以下、送信データを例に説明する。画像入力ユニットの送信データ２は、例えば３２ビットの情報量のデータである。以下、３２ビットの送信データを例に説明する。図４では、送信データが３１ビットをＭＳＢ（最上位ビット、Ｍｏｓｔ  Ｓｉｇｎｉｆｉｃａｎｔ  Ｂｉｔ）、および０ビットをＬＳＢ（最下位ビット、Ｌｅａｓｔ  Ｓｉｇｎｉｆｉｃａｎｔ  Ｂｉｔ）として例示されている。
【００５０】
図３の合成部１Ｕ１Ｆ１４は、例えば１０乃至３１ビットにシリアルナンバデータ、８乃至９ビットにデバイスＩＤデータ、および０乃至７ビットに入力データを入力して送信データを生成する。
【００５１】
装置情報は、例えばシリアルナンバデータである。以下、シリアルナンバデータを例に説明する。シリアルナンバデータは、図３のシリアルナンバ付加部１Ｕ１Ｆ１３から出力されるデータである。
【００５２】
デバイスＩＤデータは、図３のデバイスＩＤ付加部１Ｕ１Ｆ１２から出力されるデータである。
【００５３】
入力データは、図３のＩ／Ｆ部１Ｕ１Ｆ１１から入力されるデータである。入力データは、例えば画像データである。例えば画像が２５６階調で表される場合、入力データは、１画素のデータである。
【００５４】
なお、送信データは、図４の場合に限られない。例えば、情報量、構成するデータ、およびデータを入力するビットは、仕様などに基づいて変更されてもよい。例えば送信データは、６４ビットの情報量でもよい。シリアルナンバデータは、十分な台数の画像形成装置を識別するために、２２ビット以上の情報量を有することができる場合が望ましい。デバイスＩＤデータは、十分な数量のユニットを識別するために２ビット以上の情報量を有することができる場合が望ましい。入力データは、２５６階調、かつ、１画素の画像データを扱えるために８ビット以上の情報量を有することができる場合が望ましい。したがって、送信データは、３２ビット以上の情報量を有することができる場合が望ましい。
【００５５】
さらに、送信データは、ＩＣ（Ｉｎｔｅｇｒａｔｅｄ  Ｃｉｒｃｕｉｔ）などで処理が行いやすい８の倍数の情報量である場合が望ましい。
【００５６】
図３の通信部１Ｕ１Ｆ２が送信する送信データを示す「３２」の数値は、３２ビットの送信データをシリアルデータで送信することを示す数値である。シリアルデータの送信は、例えば送信元がパラレル／シリアル変換回路などを有し（図示せず）、送信先がシリアル／パラレル変換回路（図示せず）などを有して実現される。以下、同様に示す場合がある。
【００５７】
＜画像処理ユニット＞
図５は、本発明の一実施形態に係る画像形成装置の画像処理ユニットの機能構成の一例を説明する機能ブロック図である。
【００５８】
図２の画像処理部１Ｕ２Ｆ１は、選択処理部１Ｕ２Ｆ１１と、分離処理部１Ｕ２Ｆ１２と、ディザ処理部１Ｕ２Ｆ１３と、デバイスＩＤ付加部１Ｕ２Ｆ１４と、シリアルナンバ付加部１Ｕ２Ｆ１５と、合成部１Ｕ２Ｆ１６と、を有する。
【００５９】
選択処理部１Ｕ２Ｆ１１は、デバイスＩＤに基づいて画像処理ユニット１Ｕ２に入力されたデータの選択を行う。入力されたデータは、すなわち通信部１Ｕ２Ｆ２が受信したデータである。図２の場合、選択処理部１Ｕ２Ｆ１１は、画像入力ユニット１Ｕ１から受信した送信データである画像入力ユニットの送信データ２を選択する。
【００６０】
選択は、入力されたデータが有するデバイスＩＤに基づいて行う。すなわち、図２の場合、画像入力ユニットの送信データ２は、図４のように８乃至９ビットに「００（２進数表記）」のデバイスＩＤを有する。図２の場合、選択処理部１Ｕ２Ｆ１１は、図４の８乃至９ビットに「００（２進数表記）」のデバイスＩＤを有するデータを後述する分離処理部１Ｕ２Ｆ１２に出力する。
【００６１】
分離処理部１Ｕ２Ｆ１２は、分離処理部１Ｕ２Ｆ１２に入力されたデータから入力データを分離する処理を行う。図４の場合、分離処理部１Ｕ２Ｆ１２に入力されるデータは、０乃至７ビットのデータを後述するディザ処理部１Ｕ２Ｆ１３に出力する。
【００６２】
ディザ処理部１Ｕ２Ｆ１３は、例えば階調処理であるいわゆるディザ処理を行う。ディザ処理部１Ｕ２Ｆ１３は、画像処理した画像処理データを後述する合成部１Ｕ２Ｆ１６に出力する。
【００６３】
送信元情報出力手段は、例えばデバイスＩＤ付加部１Ｕ２Ｆ１４である。以下、デバイスＩＤ付加部１Ｕ２Ｆ１４を例に説明する。デバイスＩＤ付加部１Ｕ２Ｆ１４は、画像入力ユニット１Ｕ１のデバイスＩＤ付加部１Ｕ１Ｆ１２と同様に、画像処理ユニット１Ｕ２のデバイスＩＤ「０１（２進数表記）」を後述する合成部１Ｕ２Ｆ１６に出力する。
【００６４】
装置情報出力手段は、例えばシリアルナンバ付加部１Ｕ２Ｆ１５である。以下、シリアルナンバ付加部１Ｕ２Ｆ１５を例に説明する。シリアルナンバ付加部１Ｕ２Ｆ１５は、画像入力ユニット１Ｕ１のシリアルナンバ付加部１Ｕ１Ｆ１３と同様に、シリアルナンバを後述する合成部１Ｕ２Ｆ１６に出力する。シリアルナンバは、画像入力ユニット１Ｕ１のシリアルナンバ付加部１Ｕ１Ｆ１３が出力する値と同様である。
【００６５】
生成手段は、例えば合成部１Ｕ２Ｆ１６である。以下、合成部１Ｕ２Ｆ１６を例に説明する。合成部１Ｕ２Ｆ１６は、画像処理データと、デバイスＩＤデータと、シリアルナンバデータと、を合成し、送信データを生成する。合成部１Ｕ２Ｆ１６が生成する送信データは、例えば画像処理ユニットの送信データ３である。以下、画像処理ユニットの送信データ３を例に説明する。画像処理ユニットの送信データ３は、通信部１Ｕ２Ｆ３に出力される。
【００６６】
図６は、本発明の一実施形態に係る画像形成装置の画像処理ユニットの合成部が生成する送信データの一例を説明する図である。
【００６７】
画像処理ユニットの送信データ３は、１０乃至３１ビットに画像形成装置１のシリアルナンバデータが入力された送信データである。シリアルナンバデータは、シリアルナンバ付加部１Ｕ２Ｆ１５から出力されるデータである。
【００６８】
画像処理ユニットの送信データ３は、８乃至９ビットに画像処理ユニット１Ｕ２のデバイスＩＤデータ「０１（２進数表記）」が入力された送信データである。デバイスＩＤデータは、デバイスＩＤ付加部１Ｕ２Ｆ１４から出力されるデータである。
【００６９】
画像処理ユニットの送信データ３は、０乃至７ビットに画像処理データが入力されている。画像処理データは、ディザ処理部１Ｕ２Ｆ１３から出力されるデータである。
【００７０】
＜画像書込ユニット＞
図７は、本発明の一実施形態に係る画像形成装置の画像書込ユニットの機能構成の一例を説明する機能ブロック図である。
【００７１】
図２の画像書込部１Ｕ３Ｆ１は、選択処理部１Ｕ３Ｆ１１と、分離処理部１Ｕ３Ｆ１２と、レーザ駆動部１Ｕ３Ｆ１３と、を有する。
【００７２】
選択処理部１Ｕ３Ｆ１１は、画像処理ユニットの選択処理部１Ｕ２Ｆ１１と同様に、デバイスＩＤデータに基づいて画像書込ユニット１Ｕ３に入力されたデータの選択を行う。入力されたデータは、すなわち通信部１Ｕ３Ｆ２が受信したデータである。図２の場合、選択処理部１Ｕ３Ｆ１１は、画像処理ユニット１Ｕ２から受信した送信データである、画像処理ユニットの送信データ３を選択する。図２の場合、選択処理部１Ｕ３Ｆ１１は、図６のように８乃至９ビットに「０１（２進数表記）」のデバイスＩＤを有するデータを後述する分離処理部１Ｕ３Ｆ１２に出力する。
【００７３】
分離処理部１Ｕ３Ｆ１２は、分離処理部１Ｕ３Ｆ１２に入力されたデータから画像処理データを分離する処理を行う。図６の場合、分離処理部１Ｕ３Ｆ１２に入力されるデータは、０乃至７ビットのデータを後述するレーザ駆動部１Ｕ３Ｆ１３に出力する。
【００７４】
レーザ駆動部１Ｕ３Ｆ１３は、例えばレーザ（図示せず）などを制御する。制御は、入力された画像処理データに基づいて例えば２５６階調のＰＷＭ（Ｐｕｌｓｅ  Ｗｉｄｔｈ  Ｍｏｄｕｌａｔｉｏｎ）制御を行う。
【００７５】
各ユニットが送信データを送信する場合、送信データは、デバイスＩＤ、およびシリアルナンバが付加されている。したがって、送信データを受信する各ユニットは、送信データのデバイスＩＤに基づいて送信データを送信したユニットの種類を選択することができる。送信データを受信する各ユニットは、送信データのシリアルナンバに基づいて送信データを送信した画像形成装置を選択することができる。
【００７６】
＜画像形成システム＞
図８は、本発明の一実施形態に係る画像形成システムの全体構成の一例を説明する概略図である。
【００７７】
画像形成システムは、例えば画像形成システム１０である。以下、画像形成システム１０を例に説明する。
【００７８】
画像形成システム１０は、画像形成装置１と、携帯情報端末１１と、を有する。
【００７９】
画像形成装置１は、図２の画像形成装置１が有する各ユニットに送信データを送信させる。送信の際、画像形成装置１は、送信データを各ユニットまたは携帯情報端末１１に送信する。
【００８０】
携帯情報端末１１は、例えばスマートフォン、携帯電話機、タブレット、またはモバイル型のＰＣ（Ｐｅｒｓｏｎａｌ  Ｃｏｍｐｕｔｅｒ）などである。携帯情報端末１１は、画像形成装置１の各ユニットが送信する送信データを受信し、各種処理を行う。
【００８１】
＜画像形成装置の画像入力ユニットのハードウェア構成＞
画像入力ユニット１Ｕ１は、入力Ｉ／Ｆ１Ｕ１Ｈ１と、ＣＰＵ（Ｃｅｎｔｒａｌ  Ｐｒｏｃｅｓｓｉｎｇ  Ｕｎｉｔ）１Ｕ１Ｈ２と、記憶装置１Ｕ１Ｈ３と、通信ＩＣ１Ｕ１Ｈ４と、アンテナ１Ｕ１Ｈ５と、を有する。画像入力ユニット１Ｕ１の有するハードウェア構成要素は、バス（Ｂｕｓ）１Ｕ１Ｈ６によって接続され、相互にデータの入出力を行う。
【００８２】
入力Ｉ／Ｆ１Ｕ１Ｈ１は、データを入力するためのインタフェースである。入力Ｉ／Ｆ１Ｕ１Ｈ１は、コネクタ、および専用ＩＣなどである。入力Ｉ／Ｆ１Ｕ１Ｈ１は、図３のＩ／Ｆ部１Ｕ１Ｆ１１を実現する。なお、入力Ｉ／Ｆ１Ｕ１Ｈ１は、ネットワークを利用する構成、または無線で行う構成であってもよい。
【００８３】
ＣＰＵ１Ｕ１Ｈ２は、画像入力ユニット１Ｕ１が行う各処理を実現するための演算、および各装置の制御を行う。
【００８４】
記憶装置１Ｕ１Ｈ３は、画像入力ユニット１Ｕ１が有するデータ、およびパラメータなど各種情報を記憶する。記憶装置１Ｕ１Ｈ３は、例えばメモリなどの主記憶装置、およびハードディスクなどの補助記憶装置である。
【００８５】
図３のデバイスＩＤ付加部１Ｕ１Ｆ１２、シリアルナンバ付加部１Ｕ１Ｆ１３、および合成部１Ｕ１Ｆ１４は、ＣＰＵ１Ｕ１Ｈ２、および記憶装置１Ｕ１Ｈ３などで実現される。
【００８６】
通信ＩＣ１Ｕ１Ｈ４は、送信データを送信する制御を行う。
【００８７】
アンテナ１Ｕ１Ｈ５は、通信ＩＣ１Ｕ１Ｈ４の制御に基づいて電波を送信する。
【００８８】
図３の通信部１Ｕ１Ｆ２は、通信ＩＣ１Ｕ１Ｈ４、およびアンテナ１Ｕ１Ｈ５などで実現される。送信手段は、例えば通信ＩＣ１Ｕ１Ｈ４、およびアンテナ１Ｕ１Ｈ５などである。
【００８９】
＜画像形成装置の画像処理ユニットのハードウェア構成＞
画像処理ユニット１Ｕ２は、画像処理ＩＣ１Ｕ２Ｈ１と、ＣＰＵ１Ｕ２Ｈ２と、記憶装置１Ｕ２Ｈ３と、通信ＩＣ１Ｕ２Ｈ４と、アンテナ１Ｕ２Ｈ５と、を有する。画像処理ユニット１Ｕ２の有するハードウェア構成要素は、バス１Ｕ２Ｈ６によって接続され、相互にデータの入出力を行う。
【００９０】
画像処理ＩＣ１Ｕ２Ｈ１は、入力された画像データに対して所定の画像処理を行う。図５のディザ処理部１Ｕ２Ｆ１３は、画像処理ＩＣ１Ｕ２Ｈ１などによって実現される。
【００９１】
ＣＰＵ１Ｕ２Ｈ２は、画像処理ユニット１Ｕ２が行う各処理を実現するための画像処理ＩＣ１Ｕ２Ｈ１のパラメータ設定、および各装置の制御を行う。
【００９２】
記憶装置１Ｕ２Ｈ３は、画像処理ユニット１Ｕ２が有するデータ、およびパラメータなど各種情報を記憶する。記憶装置１Ｕ２Ｈ３は、例えばメモリなどの主記憶装置である。
【００９３】
選択処理部１Ｕ２Ｆ１１、分離処理部１Ｕ２Ｆ１２、デバイスＩＤ付加部１Ｕ２Ｆ１４、シリアルナンバ付加部１Ｕ２Ｆ１５、および合成部１Ｕ２Ｆ１６は、例えばＣＰＵ１Ｕ２Ｈ２、および記憶装置１Ｕ２Ｈ３などによって実現される。
【００９４】
通信ＩＣ１Ｕ２Ｈ４は、送信データを送信、および受信する制御を行う。
【００９５】
アンテナ１Ｕ２Ｈ５は、通信ＩＣ１Ｕ２Ｈ４の制御に基づいて電波を送信、および受信する。
【００９６】
図５の通信部１Ｕ２Ｆ２、および通信部１Ｕ２Ｆ３は、通信ＩＣ１Ｕ２Ｈ４、およびアンテナ１Ｕ２Ｈ５などで実現される。送信手段は、例えば通信ＩＣ１Ｕ２Ｈ４、およびアンテナ１Ｕ２Ｈ５などである。
【００９７】
＜画像形成装置の画像書込ユニットのハードウェア構成＞
画像書込ユニット１Ｕ３は、レーザ駆動装置１Ｕ３Ｈ１と、レーザ１Ｕ３Ｈ１１と、専用ＩＣ１Ｕ３Ｈ２と、通信ＩＣ１Ｕ３Ｈ３と、アンテナ１Ｕ３Ｈ４と、を有する。
【００９８】
レーザ駆動装置１Ｕ３Ｈ１は、レーザ１Ｕ３Ｈ１１の制御を行う。レーザ駆動装置１Ｕ３Ｈ１は、例えばレーザ１Ｕ３Ｈ１１を制御する電子回路などである。
【００９９】
図７のレーザ駆動部１Ｕ３Ｆ１３は、例えばレーザ駆動装置１Ｕ３Ｈ１などによって実現される。
【０１００】
専用１Ｕ３Ｈ２は、画像書込ユニット１Ｕ３が受信したデータ処理を行う。
【０１０１】
選択処理部１Ｕ３Ｆ１１、および分離処理部１Ｕ３Ｆ１２は、例えば専用１Ｕ３Ｈ２などによって実現される。なお、選択処理部１Ｕ３Ｆ１１、および分離処理部１Ｕ３Ｆ１２は、例えばレーザ駆動装置１Ｕ３Ｈ１が各処理を行う回路を有して実現してもよい。
【０１０２】
通信ＩＣ１Ｕ３Ｈ３は、送信データを受信する制御を行う。
【０１０３】
アンテナ１Ｕ３Ｈ４は、通信ＩＣ１Ｕ３Ｈ３の制御に基づいて電波を受信する。
【０１０４】
図７の通信部１Ｕ３Ｆ２は、通信ＩＣ１Ｕ３Ｈ３、およびアンテナ１Ｕ３Ｈ４などで実現される。
【０１０５】
＜携帯情報端末のハードウェア構成＞
図１２は、本発明の一実施形態に係る携帯情報端末のハードウェア構成の一例を説明するブロック図である。
【０１０６】
図１２（Ａ）は、本発明の一実施形態に係る携帯情報端末のハードウェア構成の一例を説明するための携帯情報端末の外観の概略図である。
【０１０７】
携帯情報端末１１には、例えば通信モジュール１２が接続されている。
【０１０８】
携帯情報端末１１は、Ｗｉ−Ｆｉ（Ｗｉｒｅｌｅｓｓ  Ｆｉｄｅｌｉｔｙ）などの規格に基づいて無線でデータの送受信が可能である。ユーザは、携帯情報端末１１によって無線でデータを送信し、データを画像形成装置１に画像形成させる操作を行う。
【０１０９】
通信モジュール１２は、Ｗｉ−Ｆｉなどを利用する際に用いる後述する入力Ｉ／Ｆ１１Ｈ４に画像形成装置１の送信する電波を受信するための拡張を行う装置である。
【０１１０】
図１２（Ｂ）は、本発明の一実施形態に係る携帯情報端末のハードウェア構成の一例を説明するブロック図である。
【０１１１】
携帯情報端末１１は、ＣＰＵ１１Ｈ１と、記憶装置１１Ｈ２と、入出力装置１１Ｈ３と、入力Ｉ／Ｆ１１Ｈ４と、を有する。携帯情報端末１１の有するハードウェア構成要素は、バス１１Ｈ５によって接続され、相互にデータの入出力を行う。
【０１１２】
ＣＰＵ１１Ｈ１は、携帯情報端末１１が行う各処理を実現するための演算、および各装置の制御を行う。
【０１１３】
記憶装置１１Ｈ２は、携帯情報端末１１が有するデータ、およびパラメータなど各種情報を記憶する。記憶装置１１Ｈ２は、例えばメモリなどの主記憶装置、およびハードディスクなどの補助記憶装置である。
【０１１４】
入出力装置１１Ｈ３は、ユーザに操作を入力させる、および処理の結果などを表示する出力を行う。入出力装置１１Ｈ３は、例えばいわゆるタッチパネルディスプレイなどである。
【０１１５】
入力Ｉ／Ｆ１１Ｈ４は、携帯情報端末１１にデータを入力するためのインタフェースである。入力Ｉ／Ｆ１１Ｈ４は、コネクタ、および専用ＩＣなどである。
【０１１６】
＜全体処理＞
図１３は、本発明の一実施形態に係る画像形成システムによる処理の一例を説明するための図である。
【０１１７】
操作画面１１１は、携帯情報端末１１が受信するデータを選択するための操作を行う画面の一例である。画像形成システム１０では、画像形成装置１は、図４の画像入力ユニットの送信データ２、または図６の画像処理ユニットの送信データ３を送信データとして携帯情報端末１１に送信する。送信データは、操作画面１１１によって選択される。操作画面１１１は、例えば図１２（Ｂ）の入出力装置１１Ｈ３などによって実現される。
【０１１８】
操作画面１１１で「プリンタ受信データ」が選択された場合、携帯情報端末１１は、図４の画像入力ユニットの送信データ２を受信する。
【０１１９】
操作画面１１１で「画像処理後データ」が選択された場合、携帯情報端末１１は、図６の画像処理ユニットの送信データ３を受信する。
【０１２０】
携帯情報端末１１は、各ユニットが処理を行ったデータを受信することができる。図２の場合、携帯情報端末１１は、各ユニットが処理を行ったデータを受信し、データを確認する。携帯情報端末１１は、異常な画像が発生した場合、画像入力ユニット１Ｕ１が行う処理にあるか、画像処理ユニット１Ｕ２が行う処理にあるかを特定することができる。
【０１２１】
携帯情報端末１１は、処理の対象となるデータを画像形成装置１に送信し、各ユニットが処理したデータを受信し、各ユニットが処理したデータを照合することで画像形成装置１の各処理を確認することができる。
【０１２２】
図１４は、本発明の一実施形態に係る画像形成システムによる全体処理の一例を説明するためのシーケンス図である。
【０１２３】
ステップＳ１４０１では、画像形成装置１は、ユーザに照合の処理を行うための設定について操作を行わせる。操作は、例えば画像形成装置１のオペレーションパネル（図示せず）などから行う。設定は、ユーザが照合について各種処理の開始を画像形成装置１に入力する。
【０１２４】
ステップＳ１４０２では、携帯情報端末１１は、ユーザに受信するデータを選択するための操作を行わせる。受信するデータを選択するための操作は、例えば図１３で説明した場合である。
【０１２５】
ステップＳ１４０３では、携帯情報端末１１は、画像形成装置１にステップＳ１４０２の選択結果、およびシリアルナンバを要求の出力を行う。
【０１２６】
ステップＳ１４０４では、画像形成装置１は、携帯情報端末１１にシリアルナンバを出力する。ステップＳ１４０４の処理は、ステップＳ１４０３の要求に応答する処理である。
【０１２７】
ステップＳ１４０５では、携帯情報端末１１は、ユーザに画像形成開始の指示を行う操作を行わせる。
【０１２８】
ステップＳ１４０６では、携帯情報端末１１は、処理の対象となる画像データを画像形成装置１に出力する。
【０１２９】
ステップＳ１４０７では、画像形成装置１は、携帯情報端末１１に送信するデータが画像入力ユニットが処理したデータか、画像処理ユニットが処理したデータかの判定を行う。判定は、ステップＳ１４０２のユーザによる操作に基づいて行われる。ステップＳ１４０７で画像入力ユニットが処理したデータと判定した場合、画像形成装置１は、ステップＳ１４０８に進む。ステップＳ１４０７で画像処理ユニットが処理したデータと判定した場合、画像形成装置１は、ステップＳ１４１０に進む。
【０１３０】
ステップＳ１４０８では、画像形成装置１は、画像形成装置１にデータを入力するための処理を行う。ステップＳ１４０８では、画像形成装置１の画像入力ユニット１Ｕ１は、ステップＳ１４０６から入力された画像データを画像形成装置１に入力するための図３で説明した各処理を行う。
【０１３１】
ステップＳ１４０９では、画像形成装置１は、画像入力ユニットが処理したデータを携帯情報端末１１に送信する処理を行う。ステップＳ１４０９では、画像形成装置１の画像入力ユニット１Ｕ１は、携帯情報端末１１に図４の画像入力ユニットの送信データ２を送信する。
【０１３２】
ステップＳ１４１０では、画像形成装置１は、画像形成装置１にデータを入力するための処理を行う。ステップＳ１４１０の処理は、図３で説明した各処理を行う。
【０１３３】
ステップＳ１４１１では、画像形成装置１は、画像形成装置１に入力されたデータに対して画像処理を行う。ステップＳ１４１１では、画像形成装置１の画像処理ユニット１Ｕ２は、ステップＳ１４１０で処理された画像入力ユニットの送信データ２に対して図５で説明した各処理を行う。
【０１３４】
ステップＳ１４１２では、画像形成装置１は、画像処理ユニットが処理したデータを携帯情報端末１１に送信する処理を行う。ステップＳ１４１２では、画像形成装置１の画像処理ユニット１Ｕ２は、携帯情報端末１１に図６の画像処理ユニットの送信データ３を送信する。
【０１３５】
ステップＳ１４１３では、携帯情報端末１１は、シリアルナンバ、およびデバイスＩＤに基づいてデータを選択する処理を行う。ステップＳ１４１３では、携帯情報端末１１は、受信したデータのうち、ステップＳ１４０４で入力したシリアルナンバと一致するデータを有するデータを選択する。ステップＳ１４１３では、携帯情報端末１１は、受信したデータのうち、ステップＳ１４０２で選択したデータに相当するデバイスＩＤを有するデータを選択する。携帯情報端末１１は、シリアルナンバ、およびデバイスＩＤに基づいて選択したデータについてステップＳ１４１４以降の処理を行う。
【０１３６】
ステップＳ１４１４では、携帯情報端末１１は、照合の処理を行う。照合は、ステップＳ１４０６で出力した画像データに基づいて予め比較用のデータを生成し、比較用のデータと、ステップＳ１４０９、またはステップＳ１４１２で画像形成装置１から送信されたデータと、を比較する。照合の処理は、比較の結果、比較用のデータと、送信されたデータと、が一致した場合、処理がバグなどなく、処理は「正常」であると判定する処理である。照合の処理は、比較の結果、比較用のデータと、送信されたデータと、で異なるデータがある場合、処理は「正常」ではないと判定する処理である。
【０１３７】
ステップＳ１４１５では、携帯情報端末１１は、照合の処理による判定の結果を画像形成装置１に出力する。ステップＳ１４１５で出力された判定の結果が処理は「正常」であるとの判定の場合、画像形成装置１は、ステップＳ１４１６に進む。ステップＳ１４１５で出力された判定の結果が処理は「正常」ではないとの判定の場合、画像形成装置１は、ステップＳ１４１７に進む。
【０１３８】
ステップＳ１４１６は、画像形成装置１は、画像形成を行う。
【０１３９】
ステップＳ１４１７は、画像形成装置１は、画像形成に係るデータを停止する処理と、後述する画像形成を制限する制限処理と、を行う。
【０１４０】
＜各装置の処理＞
図１５は、本発明の一実施形態に係る画像形成システムの各装置による処理の一例を説明するためのフローチャートである。
【０１４１】
図１５（Ａ）は、本発明の一実施形態に係る画像形成システムの画像形成装置１による処理の一例を説明するためのフローチャートである。
【０１４２】
ステップＳ１５Ａ０１では、画像形成装置１は、照合の処理を行うための設定を入力させる処理を行う。ステップＳ１５Ａ０１の処理は、図１４のステップＳ１４０１の処理に相当する。
【０１４３】
ステップＳ１５Ａ０２では、画像形成装置１は、シリアルナンバを出力する処理を行う。ステップＳ１５Ａ０２の処理は、図１４のステップＳ１４０４の処理に相当する。
【０１４４】
ステップＳ１５Ａ０３では、画像形成装置１は、送信するデータが画像入力ユニットが処理したデータか、画像処理ユニットが処理したデータかの判断を行う。ステップＳ１５Ａ０３で送信するデータが画像入力ユニットが処理したデータと判断した場合、画像形成装置１は、ステップＳ１５Ａ０４に進む。ステップＳ１５Ａ０３で送信するデータが画像処理ユニットが処理したデータと判断した場合、画像形成装置１は、ステップＳ１５Ａ０６に進む。
【０１４５】
ステップＳ１５Ａ０４では、画像形成装置１は、画像入力ユニットによる処理を行う。ステップＳ１５Ａ０４の処理は、図１４のステップＳ１４０８の処理に相当する。
【０１４６】
ステップＳ１５Ａ０５では、画像形成装置１は、画像入力ユニットの送信データを携帯情報端末に送信する処理を行う。ステップＳ１５Ａ０５の処理は、図１４のステップＳ１４０９の処理に相当する。
【０１４７】
ステップＳ１５Ａ０６では、画像形成装置１は、画像入力ユニットによる処理を行う。ステップＳ１５Ａ０６の処理は、図１４のステップＳ１４１０の処理に相当する。
【０１４８】
ステップＳ１５Ａ０７では、画像形成装置１は、画像処理ユニットによる処理を行う。ステップＳ１５Ａ０７の処理は、図１４のステップＳ１４１１の処理に相当する。
【０１４９】
ステップＳ１５Ａ０８では、画像形成装置１は、画像入力ユニットの送信データを携帯情報端末に送信する処理を行う。ステップＳ１５Ａ０８の処理は、図１４のステップＳ１４１２の処理に相当する。
【０１５０】
ステップＳ１５Ａ０９では、画像形成装置１は、携帯情報端末１１から入力される照合の結果が「正常」であるか否かの判断を行う。照合の結果が「正常」の場合（ステップＳ１５Ａ０９でＹＥＳ）、画像形成装置１は、ステップＳ１５Ａ１０に進む。照合の結果が「正常」ではない場合（ステップＳ１５Ａ０９でＮＯ）、画像形成装置１は、ステップＳ１５Ａ１１に進む。ステップＳ１５Ａ０９の処理は、図１４のステップＳ１４１５の処理に相当する。
【０１５１】
ステップＳ１５Ａ１０では、画像形成装置１は、画像形成を行う。ステップＳ１５Ａ１０の処理は、図１４のステップＳ１４１６の処理に相当する。
【０１５２】
ステップＳ１５Ａ１１では、画像形成装置１は、データの生成を停止する処理と、制限処理と、を行う。ステップＳ１５Ａ１１の処理は、図１４のステップＳ１４１７の処理に相当する。
【０１５３】
制限処理は、例えば画像形成を停止させる処理である。制限処理によって、画像形成装置１は、例えば画像形成の工程のうち、図１で説明した帯電、露光、現像、転写、定着、およびクリーニングに係る装置を停止させる。ステップＳ１５Ａ１１では、制限処理は、画像データを生成する処理を停止させてもよい。
【０１５４】
図１５（Ｂ）は、本発明の一実施形態に係る画像形成システムの携帯情報端末１１による処理の一例を説明するためのフローチャートである。
【０１５５】
ステップＳ１５Ｂ０１では、携帯情報端末１１は、受信するデータをユーザに選択させる処理を行う。ステップＳ１５Ｂ０１の処理は、図１４のステップＳ１４０２の処理に相当する。
【０１５６】
ステップＳ１５Ｂ０２では、携帯情報端末１１は、シリアルナンバの要求と、受信データの選択結果を画像形成装置１に出力する処理を行う。ステップＳ１５Ｂ０２の処理は、図１４のステップＳ１４０３の処理に相当する。
【０１５７】
ステップＳ１５Ｂ０３では、携帯情報端末１１は、シリアルナンバとデバイスＩＤによるデータを選択する処理を行う。ステップＳ１５Ｂ０３の処理は、図１４のステップＳ１４１３の処理に相当する。
【０１５８】
ステップＳ１５Ｂ０４では、携帯情報端末１１は、照合の処理を行う。ステップＳ１５Ｂ０３の処理は、図１４のステップＳ１４１４の処理に相当する。
【０１５９】
ステップＳ１５Ｂ０５では、携帯情報端末１１は、照合の結果を送信する処理を行う。ステップＳ１５Ｂ０４の処理は、図１４のステップＳ１４１５の処理に相当する。
【０１６０】
携帯情報端末１１は、画像形成装置１から受信した送信データをデバイスＩＤを用いることで、送信元が画像入力ユニットから送信されたデータか、画像処理ユニットから送信されたデータか、を区別することができる。携帯情報端末１１は、画像形成装置１から受信した送信データをシリアルナンバを用いることで、送信元が画像形成装置１か、他の画像形成装置か、を区別することができる。
【０１６１】
したがって、携帯情報端末１１は、画像形成装置から無線で受信する場合、受信した情報の送信元をわかりやすくできる。
【０１６２】
＜第２実施形態＞
第２実施形態は、第１実施形態の画像形成システム１０を用いる。したがって、画像形成システム１０、画像形成装置１、および携帯情報端末１１の説明は、省略する。
【０１６３】
第２実施形態は、第１実施形態と全体処理が異なる。
【０１６４】
図１６は、本発明の一実施形態に係る第２実施形態の画像形成システムによる全体処理の一例を説明するためのシーケンス図である。
【０１６５】
図１６の全体処理は、図１４と比較して、ステップＳ１４０１の処理が異なる。図１６の全体処理は、図１４と比較して、ステップＳ１４０１の処理が異なる。図１６の全体処理は、図１４と比較して、ステップＳ１６０１の処理が追加されている点が異なる。図１４と同一の処理については同一の符号を付し、説明を省略する。
【０１６６】
ステップＳ１４０１では、画像形成装置１は、図１４の操作に加えて、画像形成を制限する制限処理の設定についてユーザに操作させる。制限処理の設定は、例えば照合を行う際、画像形成装置１に記録媒体に対しての画像形成を制限させる設定である。すなわち、照合を行う際に画像形成を制限する設定の場合、画像形成装置１は、記録媒体に画像形成を行わず、画像形成のためのデータを生成し、携帯情報端末１１に送信する処理を行う。
【０１６７】
ステップ１６０１では、画像形成装置１は、ステップＳ１４０１で画像形成を制限する制限処理の設定とされた場合、制限処理を行う。
【０１６８】
図１７は、本発明の一実施形態に係る第２実施形態の画像形成システムの各装置による処理の一例を説明するためのフローチャートである。
【０１６９】
図１７（Ａ）は、本発明の一実施形態に係る第２実施形態の画像形成システムの画像形成装置による処理の一例を説明するためのフローチャートである。
【０１７０】
図１７（Ａ）は、図１５（Ａ）と比較して、ステップＳ１５Ａ０１の処理が異なる。図１７（Ａ）は、図１５（Ａ）と比較して、ステップＳ１７Ａ０１、およびステップＳ１７Ａ０２の処理が追加されている点が異なる。図１５（Ａ）と同様の箇所については、同一の符号を付し、説明を省略する。
【０１７１】
図１７（Ａ）のステップＳ１５Ａ０１では、画像形成装置１は、図１４の操作に加えて、画像形成を制限する制限処理の設定について入力させる。図１７（Ａ）のステップＳ１５Ａ０１の処理は、図１６のステップＳ１４０１の処理と同様である。
【０１７２】
ステップＳ１７Ａ０１では、画像形成装置１は、照合の処理の際、制限処理を行う設定であるか否かの判断を行う。図１７（Ａ）のステップＳ１５Ａ０１で照合の処理の際、制限処理を行うと設定された場合（ステップＳ１７Ａ０１でＹＥＳ）、画像形成装置１は、ステップＳ１７Ａ０２に進む。図１７（Ａ）のステップＳ１５Ａ０１で照合の処理の際、制限処理を行うと設定されてない場合（ステップＳ１７Ａ０１でＮＯ）、画像形成装置１は、ステップＳ１５Ａ０９に進む。
【０１７３】
ステップＳ１７Ａ０２では、画像形成装置１は、制限処理を行う。ステップＳ１７Ａ０２の処理は、図１６のステップＳ１６０１の処理に相当する。
【０１７４】
図１７（Ｂ）は、本発明の一実施形態に係る第２実施形態の画像形成システムの携帯情報端末による処理の一例を説明するためのフローチャートである。図１７（Ｂ）は、図１５（Ｂ）と同様であるため、説明を省略する。
【０１７５】
照合の処理の際、画像形成装置１の有する各ユニットの処理をデータでチェックしているため、チェック用のデータは、記録媒体に画像形成する必要が少ない。したがって、照合の処理の際、画像形成装置１は、制限処理によって、画像形成に係る各装置を停止させることで電力の消費を少なくすることができる。また、制限処理によって、画像形成装置１は、記録媒体、およびトナーなど消耗品の消費を少なくすることができる。
【０１７６】
＜第３実施形態＞
図１８は、本発明の一実施形態に係る第３実施形態の画像形成装置の一例を説明するための図である。
【０１７７】
第３実施形態では、画像形成装置１に代えて画像形成装置２１を用いる。画像形成装置２１は、開口機構２００を有する点が画像形成装置１と異なる。他の点は、画像形成装置１と同一であるため、説明を省略する。
【０１７８】
開口機構２００は、画像形成装置２１のカバーの一部を開口、および閉口するための機構である。開口機構２００は、通信品質を向上させるため、外部の装置と送受信する際に開口する。開口する場合は、例えば図１５のステップＳ１５Ａ０２、ステップＳ１５Ａ０５、およびステップ１５Ａ０８の処理が行われる場合などである。
【０１７９】
なお、開口機構２００の位置、大きさ、および範囲は、図１８の場合に限られない。開口機構２００の位置、大きさ、および範囲は、通信品質を考慮して変更されてもよい。
【０１８０】
開口によって、画像形成装置２１は、外部の装置と送受信する際、電波を遮ることがあるカバーの影響を少なくすることができる。したがって、画像形成装置２１は、例えば携帯情報端末１１などにデータを送信する際、通信品質のよい状態で送信を行うことができる。
【０１８１】
なお、実施形態は、携帯情報端末に代えて画像形成装置が受信装置を有してもよい。
【０１８２】
また、実施形態は、タンデム方式の二次転写機構を有する電子写真方式の画像形成装置に限られない。例えばインクジェット方式の画像形成装置などでもよい。
【０１８３】
以上、本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【０１８４】
１、２１  画像形成装置
１０  画像形成システム
１１  携帯情報端末
１１１  操作画面
１２  通信モジュール
１Ｕ１  画像入力ユニット
１Ｕ１Ｆ１  入力部
１Ｕ１Ｆ１１  Ｉ／Ｆ部
１Ｕ１Ｆ１２  デバイスＩＤ付加部
１Ｕ１Ｆ１３  シリアルナンバ付加部
１Ｕ１Ｆ１４  合成部
１Ｕ１Ｆ２  通信部
１Ｕ２  画像処理ユニット
１Ｕ２Ｆ１  画像処理部
１Ｕ２Ｆ１１  選択処理部
１Ｕ２Ｆ１２  分離処理部
１Ｕ２Ｆ１３  ディザ処理部
１Ｕ２Ｆ１４  デバイスＩＤ付加部
１Ｕ２Ｆ１５  シリアルナンバ付加部
１Ｕ２Ｆ１６  合成部
１Ｕ２Ｆ２  通信部
１Ｕ２Ｆ３  通信部
１Ｕ２Ｈ１  画像処理ＩＣ
１Ｕ２Ｈ２  ＣＰＵ
１Ｕ２Ｈ３  記憶装置
１Ｕ２Ｈ４  通信ＩＣ
１Ｕ２Ｈ５  アンテナ
１Ｕ２Ｈ６  バス
１Ｕ３  画像書込ユニット
１Ｕ３Ｆ１  画像書込部
１Ｕ３Ｆ１１  選択処理部
１Ｕ３Ｆ１２  分離処理部
１Ｕ３Ｆ１３  レーザ駆動部
１Ｕ３Ｆ２  通信部
１０１  光学装置
１０２  像形成装置
１０３  転写装置
２００  開口機構
Ｔ  記録媒体収容装置
ＢＭ、Ｙ、Ｋ、Ｍ、Ｃ  光ビーム
Ｄ、Ｅ  矢印
Ｐ  記録媒体
Ｐ２  印刷物
２  画像入力ユニットの送信データ
３  画像処理ユニットの送信データ
【先行技術文献】
【特許文献】
【０１８５】
【特許文献１】特開２００８−２３６０９４号公報
【特許文献２】特開２０１２−２４３１０９号公報
【図１】
2015156591.tif 000003
【図２】
2015156591.tif 000004
【図３】
2015156591.tif 000005
【図４】
2015156591.tif 000006
【図５】
2015156591.tif 000007
【図６】
2015156591.tif 000008
【図７】
2015156591.tif 000009
【図８】
2015156591.tif 000010
【図９】
2015156591.tif 000011
【図１０】
2015156591.tif 000012
【図１１】
2015156591.tif 000013
【図１２】
2015156591.tif 000014
【図１３】
2015156591.tif 000015
【図１４】
2015156591.tif 000016
【図１５】
2015156591.tif 000017
【図１６】
2015156591.tif 000018
【図１７】
2015156591.tif 000019
【図１８】
2015156591.tif 000020